(57)【要約】【課題】  電動モータを移動させたときにもプーリやベルトを確実に覆うことにより、安全性、信頼性を向上する。【解決手段】  電動モータ２の駆動プーリ５、圧縮機本体７の従動プーリ１２、ベルト１５を内側から覆う内側保護カバー１８には、電動モータ２の移動に合せて移動することにより、出力軸４を取囲むモータ側軸取出し開口１８Ｃ内の空間１８Ｄを閉塞する一対の閉塞カバー１９，２０を設ける構成とした。これにより、ベルト１５の張りを調整するために電動モータ２を移動した場合には、閉塞カバー１９，２０が移動して大きく開口したモータ側軸取出し開口１８Ｃ内の空間１８Ｄを閉塞することができ、各プーリ５，１２、ベルト１５を確実に覆い隠すことができる。【選択図】        図４
2006220123.tif 000002
【特許請求の範囲】
【請求項１】
載置台と、該載置台に移動可能に取付けられ出力軸に駆動プーリが設けられた電動モータと、前記載置台に取付けられ従動プーリを回転することにより気体を吸込んで圧縮し圧縮気体を吐出する圧縮機本体と、前記電動モータの駆動プーリと前記圧縮機本体の従動プーリとに巻装されたベルトと、前記駆動プーリ、従動プーリおよびベルトを外側から覆う外側保護カバーと、該外側保護カバーとの間に前記駆動プーリ、従動プーリおよびベルトを挟むように内側から覆う内側保護カバーとを備えてなる圧縮機において、
前記内側保護カバーには、前記電動モータを移動させたときに出力軸の移動が自由な大きさをもった空間からなる軸取出し開口を設け、
前記軸取出し開口の周囲には、前記電動モータの移動に合せて移動し前記出力軸を取囲む前記空間を閉塞する閉塞カバーを設ける構成としたことを特徴とする圧縮機。
【請求項２】
前記閉塞カバーは、前記電動モータの出力軸を挟むように複数に分割する構成としてなる請求項１に記載の圧縮機。
【発明の詳細な説明】
【技術分野】
【０００１】
本発明は、例えば電動モータを用いて圧縮機本体を駆動することにより、空気等の気体を圧縮するのに用いて好適な圧縮機に関する。
【背景技術】
【０００２】
一般に、空気等の気体を圧縮する圧縮機は、載置台と、該載置台に取付けられ出力軸に駆動プーリが設けられた電動モータと、前記載置台に取付けられ従動プーリを回転することにより空気を吸込んで圧縮し圧縮空気を吐出する圧縮機本体と、前記駆動プーリと従動プーリとに巻装されたベルトとにより大略構成されている。
【０００３】
また、圧縮機には、電動モータの駆動プーリ、圧縮機本体の従動プーリ、ベルトを外側から覆う外側保護カバーと、該外側保護カバーとの間に前記各プーリ、ベルトを挟むように内側から覆う内側保護カバーとが設けられている。
【０００４】
ここで、駆動プーリと従動プーリとに巻装されたベルトは、長期間使用すると延びを生じるから、所定の稼動時間毎に張り調整を行うことが望ましい。従って、電動モータは、ベルトに張りを与えるために、圧縮機本体に対する離間距離を調整できるように載置台に移動可能に取付けられている。このため、電動モータの出力軸が貫通する内側保護カバーには、電動モータを移動させたときに出力軸等が干渉しなうように大きな開口を設ける構成としている（例えば、特許文献１参照）。
【０００５】
【特許文献１】特開平１０−８９２５６号公報
【発明の開示】
【発明が解決しようとする課題】
【０００６】
ところで、上述した従来技術による圧縮機では、電動モータを移動してベルトの張り調整を行ったときに、該電動モータの出力軸が内側保護カバーに干渉しないように、該内側保護カバーに大きな開口を設けている。このため、内側保護カバーの開口と電動モータの出力軸との間には、大きな空間が形成されるから、この空間からプーリやベルトが露出してしまうという問題がある。
【０００７】
本発明は上述した従来技術の問題に鑑みなされたもので、本発明の目的は、電動モータを移動させたときにもプーリやベルトを確実に覆うことにより、安全性、信頼性を向上できるようにした圧縮機を提供することにある。
【課題を解決するための手段】
【０００８】
本発明による圧縮機は、載置台と、該載置台に移動可能に取付けられ出力軸に駆動プーリが設けられた電動モータと、前記載置台に取付けられ従動プーリを回転することにより気体を吸込んで圧縮し圧縮気体を吐出する圧縮機本体と、前記電動モータの駆動プーリと前記圧縮機本体の従動プーリとに巻装されたベルトと、前記駆動プーリ、従動プーリおよびベルトを外側から覆う外側保護カバーと、該外側保護カバーとの間に前記駆動プーリ、従動プーリおよびベルトを挟むように内側から覆う内側保護カバーとを備えている。
【０００９】
そして、上述した課題を解決するために、請求項１の発明が採用する構成の特徴は、前記内側保護カバーには、前記電動モータを移動させたときに出力軸の移動が自由な大きさをもった空間からなる軸取出し開口を設け、前記軸取出し開口の周囲には、前記電動モータの移動に合せて移動し前記出力軸を取囲む前記空間を閉塞する閉塞カバーを設ける構成としたことにある。
【００１０】
請求項２の発明によると、前記閉塞カバーは、前記電動モータの出力軸を挟むように複数に分割する構成としたことにある。
【発明の効果】
【００１１】
請求項１の発明によれば、電動モータの駆動プーリを回転し、ベルトを介して圧縮機本体の従動プーリを回転駆動すると、該圧縮機本体は、気体を吸込んで圧縮し、この圧縮気体をタンク等に吐出する。この運転時には、駆動プーリ、従動プーリが回転し、ベルトが周回するが、これらは外側保護カバーと内側保護カバーによって覆うことができ、プーリとベルトとの間に物が挟まれたり、ベルトが損傷したりする事態を未然に防ぐことができる。
【００１２】
ここで、駆動プーリと従動プーリとに巻装されたベルトは、長期間運転することで徐々に延びを生じるから、定期的にベルトの張り調整を行う必要がある。そこで、ベルトの張り調整を行うときには、電動モータを載置台に固定しているボルト等を緩め、電動モータを圧縮機本体から離間する方向に移動させてベルトに張りを与えた後、その位置に電動モータを固定する。
【００１３】
このときに、電動モータの出力軸は、内側保護カバーに形成された軸取出し開口内で移動するから、該軸取出し開口に対する出力軸の位置が変わってしまう。しかし、電動モータが移動したときには、軸取出し開口の周囲に設けられた閉塞カバーが電動モータの移動に合せて移動するから、軸取出し開口に対する出力軸の位置が変わった場合でも、該出力軸を取囲む空間を確実に閉塞することができる。
【００１４】
この結果、ベルトの張り調整を行うために電動モータを移動した場合でも、内側保護カバーの軸取出し開口と電動モータの出力軸との間の空間を閉塞カバーによって閉塞することができるから、プーリ、ベルトを確実に覆い隠すことができ、安全性、信頼性を向上することができる。
【００１５】
請求項２の発明によれば、閉塞カバーは、電動モータの出力軸を挟むように複数に分割しているから、出力軸に駆動プーリを取付けた状態でも、出力軸の周囲を確実に覆うことができる。また、分割した閉塞カバーは、内側保護カバー等に簡単に取付けることができる。
【発明を実施するための最良の形態】
【００１６】
以下、本発明の実施の形態による圧縮機として、２段式の往復動型の圧縮機本体を備えた空気圧縮機を例に挙げ、図１ないし図８に従って詳細に説明する。
【００１７】
図１、図２において、１は空気圧縮機のベースをなす載置台で、該載置台１は、図３に示すように、例えば鋼板をコ字状に折り曲げることにより形成されている。また、載置台１の上面１Ａには、図５に示す如く、長さ方向の一側に位置して後述の電動モータ２を固定するための４個のモータ取付穴１Ｂが設けられ、他側に位置して後述の圧縮機本体７を固定するための４個の圧縮機取付穴１Ｃが設けられている。さらに、載置台１の四隅には、設置場所に固定するためのアンカボルト（図示せず）が取付けられるブラケット１Ｄが設けられている。
【００１８】
ここで、モータ取付穴１Ｂは、電動モータ２を圧縮機本体７に対して離間させる方向に移動できるように、電動モータ２の移動方向となる載置台１の長さ方向に延びる長穴として形成されている。これにより、後述するベルト１５の張り調整を行なうことができる。
【００１９】
２は載置台１上の長さ方向の一側に搭載された電動モータで、該電動モータ２は、圧縮機本体７を駆動する駆動源を構成している。また、電動モータ２は、図１に示す如く、固定子、回転子（いずれも図示せず）を内蔵したモータケース３と、該モータケース３の軸中心に回転可能に支持され、前記回転子が取付けられた出力軸４と、該出力軸４の突出端に取付けられた駆動プーリ５とにより大略構成されている。また、モータケース３の下側部位には４個の脚部３Ａ（２個のみ図示）が設けられている。
【００２０】
そして、電動モータ２は、出力軸４が載置台１の長さ方向に対して直交するように該載置台１上に配置され、モータケース３の脚部３Ａと載置台１のモータ取付穴１Ｂとに亘って設けられたボルト・ナット６を締め込むことにより、載置台１に固定することができる。一方、電動モータ２は、各ボルト・ナット６を緩めることにより、長穴として形成されたモータ取付穴１Ｂに沿って載置台１の長さ方向（矢示Ａ方向）に移動することもできる。
【００２１】
７は載置台１上の長さ方向の他側に搭載された圧縮機本体を示している。この圧縮機本体７は、吸込んだ空気を低圧と高圧の２段階で圧縮し、この圧縮空気を後述のアフタクーラ２２等を介してエアタンク２３側に吐出するものである。
【００２２】
ここで、圧縮機本体７は、クランク軸８Ａを回転可能に支持するクランクケース８と、該クランクケース８の上側に設けられ、シリンダ、ピストン等からなる低圧側の気筒９と、該低圧側の気筒９と別個にクランクケース８の上側に設けられ、シリンダ、ピストン等からなる高圧側の気筒１０と、低圧側の気筒９の吐出口と高圧側の気筒１０の吸気口とを接続する中間配管１１と、前記クランク軸８Ａの突出端に取付けられた従動プーリ１２とにより大略構成されている。また、クランクケース８の下側には、４個の脚部８Ｂが設けられている。
【００２３】
さらに、従動プーリ１２には、図４に示すように冷却ファン１２Ａが一体的に設けられている。これにより、従動プーリ１２は、回転したときに冷却ファン１２Ａによって圧縮機本体７に向け冷却風を供給することができる。
【００２４】
また、圧縮機本体７は、クランクケース８の脚部８Ｂと載置台１の圧縮機取付穴１Ｃとの間でボルト・ナット１３を締め込むことにより、載置台１に固定することができる。さらに、高圧側の気筒１０の吐出口には吐出配管１４が接続されている。
【００２５】
そして、圧縮機本体７は、後述のベルト１５等を介してクランク軸８Ａが回転すると、ピストンの往復動に伴って低圧側の気筒９内に吸込んだ空気を圧縮し、この圧縮空気を中間配管１１を介して高圧側の気筒１０に供給する。これにより、高圧側の気筒１０では、吸込んだ圧縮空気をさらに圧縮し、高圧な圧縮空気を吐出配管１４側に吐出する。
【００２６】
１５は電動モータ２の駆動プーリ５と圧縮機本体７の従動プーリ１２とに亘って巻装されたベルトを示している。このベルト１５は、電動モータ２の出力軸４の回転力を圧縮機本体７に伝え、クランク軸８Ａを回転させるものである。また、ベルト１５は、例えばワイヤ等を心材とするゴム材料、樹脂材料により形成されている。しかし、ベルト１５は、長期間使用した場合に徐々に延びを生じるから、所定の稼動時間が経過したら、電動モータ２を移動して張り調整を行う必要がある。
【００２７】
１６は電動モータ２の駆動プーリ５、圧縮機本体７の従動プーリ１２、ベルト１５を覆うように設けられた外側保護カバーを示している。この外側保護カバー１６は、図３に示すように、電動モータ２、圧縮機本体７等と反対側となる外側から各プーリ５，１２、ベルト１５を覆うものである。詳しくは、外側保護カバー１６は、図７に示す如く、駆動プーリ５、従動プーリ１２の前面側に対面して設けられた前面板１６Ａと、該前面板１６Ａの長さ方向の両端縁から各プーリ５，１２側に延びた２枚の側面板１６Ｂと、前記前面板１６Ａの上端縁から各プーリ５，１２側に延びた上面板１６Ｃとにより大略構成されている。これにより、外側保護カバー１６は、各プーリ５，１２、ベルト１５を前面側、両側面側および上面側から覆うことができる。
【００２８】
また、外側保護カバー１６の前面板１６Ａは、圧縮機本体７等を冷やすための冷却風が流通するように、通気性を有する網状板等によって形成されている。そして、外側保護カバー１６は、例えばブラケット（図示せず）等を介して載置台１にボルト止めされている。
【００２９】
１７は駆動プーリ５、従動プーリ１２およびベルト１５の下側を覆うように設けられた下側カバーを示している。この下側カバー１７は、図３に示すように、各プーリ５，１２、ベルト１５を下側から覆うもので、例えば１枚の板材をＬ字状に屈曲することにより形成され、外側保護カバー１６、載置台１等にボルト止めされている。
【００３０】
１８は外側保護カバー１６との間に駆動プーリ５、従動プーリ１２およびベルト１５を挟むように設けられた内側保護カバーを示している。この内側保護カバー１８は、各プーリ５，１２、ベルト１５を内側（電動モータ２側）から覆うもので、例えば載置台１、外側保護カバー１６等にボルト止めされている。また、内側保護カバー１８は、電動モータ２側のモータ側カバー部１８Ａと、圧縮機本体７側の圧縮機側カバー部１８Ｂとを有し、圧縮機側カバー部１８Ｂは圧縮機本体７側に冷却風を供給できるように通気性を有する網状板等によって形成されている。
【００３１】
また、モータ側カバー部１８Ａには、電動モータ２の出力軸４を取出すためのモータ側軸取出し開口１８Ｃが形成されている。ここで、モータ側軸取出し開口１８Ｃは、ベルト１５の張りを調整するために電動モータ２を矢示Ａ方向に移動したときに、その出力軸４を自由に移動することができる大きさをもった空間１８Ｄとなっている。即ち、空間１８Ｄは、電動モータ２を移動可能な範囲で移動させたときに、その出力軸４が干渉しないように十分に広い幅寸法Ｗをもって形成されている。
【００３２】
さらに、モータ側カバー部１８Ａには、モータ側軸取出し開口１８Ｃの周囲に位置して後述の閉塞カバー１９，２０を取付けるためのボルト穴１８Ｅが４個設けられている。また、圧縮機側カバー部１８Ｂには、圧縮機本体７のクランク軸８Ａを取出すための圧縮機側軸取出し開口１８Ｆが形成されている。
【００３３】
１９，２０は内側保護カバー１８のモータ側軸取出し開口１８Ｃの周囲に設けられた一対の閉塞カバーを示している。この一対の閉塞カバー１９，２０は、ベルト１５の張り調整を行うために電動モータ２を矢示Ａ方向に移動したときに、電動モータ２の移動に合せて矢示Ａ方向に移動することにより、モータ側軸取出し開口１８Ｃの空間１８Ｄを閉塞するものである。
【００３４】
また、閉塞カバー１９，２０は、図８に示す如く、左，右方向で対称形状をなすように縦割りされた２枚の長方形状の板体により形成されている。また、各閉塞カバー１９，２０の互いに当接する部分には、円弧状切欠部１９Ａ，２０Ａが形成され、この円弧状切欠部１９Ａ，２０Ａは、各閉塞カバー１９，２０を当接させることにより、電動モータ２の出力軸４よりも僅かに大きな円形状の開口を形成するものである。
【００３５】
さらに、閉塞カバー１９，２０には、円弧状切欠部１９Ａ，２０Ａの上側と下側で内側保護カバー１８のボルト穴１８Ｅに対応する位置にボルト挿通孔１９Ｂ，２０Ｂが形成されている。これらのボルト挿通孔１９Ｂ，２０Ｂは水平方向に延びる長穴として形成され、これにより、閉塞カバー１９，２０は、ボルト挿通孔１９Ｂ，２０Ｂに沿って水平方向（矢示Ａ方向）に移動することができる。
【００３６】
そして、一対の閉塞カバー１９，２０は、各ボルト挿通孔１９Ｂ，２０Ｂに挿通したボルト２１を内側保護カバー１８のボルト穴１８Ｅに螺着することにより、該内側保護カバー１８のモータ側カバー部１８Ａに取付けられている。このように各閉塞カバー１９，２０を内側保護カバー１８に取付けた状態では、各円弧状切欠部１９Ａ，２０Ａにより電動モータ２の出力軸４の挿通を許しつつ、該出力軸４を取囲むモータ側軸取出し開口１８Ｃ内の空間１８Ｄの残余の部分を閉塞することができる。
【００３７】
しかも、閉塞カバー１９，２０の各ボルト挿通孔１９Ｂ，２０Ｂは、長穴として形成しているから、電動モータ２を移動するときには、各ボルト２１を緩めることにより電動モータ２（出力軸４）に合せて移動することができる。これにより、閉塞カバー１９，２０は、モータ側軸取出し開口１８Ｃに対する出力軸４の位置が変わってしまった場合でも、前記空間１８Ｄのうち出力軸４の周囲に形成される部位を閉塞することができる。
【００３８】
２２は流入口に圧縮機本体７からの吐出配管１４が接続されたアフタクーラ（図２、図３中に図示）で、該アフタクーラ２２は、従動プーリ１２を回転駆動して冷却ファン１２Ａが発生する冷却風の取入れ口となる外側保護カバー１６の前面側に配設されている。そして、アフタクーラ２２は、圧縮機本体７で圧縮熱により温度上昇した圧縮空気を、従動プーリ１２の冷却ファン１２Ａによる冷却風を利用して冷却するものである。
【００３９】
２３は圧縮空気を貯えるエアタンクで、該エアタンク２３は、例えば載置台１、電動モータ２、圧縮機本体７とは別個に配設されている。また、エアタンク２３は、接続配管２４を介してアフタクーラ２２の流出口に接続されている。
【００４０】
本実施の形態による空気圧縮機は、上述の如き構成を有するもので、次に、その作動について説明する。
【００４１】
まず、電動モータ２の出力軸４を回転駆動すると、この回転力は駆動プーリ５、ベルト１５、従動プーリ１２を介して圧縮機本体７のクランク軸８Ａに伝達される。これにより、圧縮機本体７は、クランク軸８Ａの回転により各気筒９，１０内でピストンを往復動させることにより、吸込んだ空気を低圧側の気筒９と高圧側の気筒１０により２段階に圧縮し、この圧縮空気を吐出配管１４側に吐出する。そして、吐出配管１４に吐出された圧縮空気は、アフタクーラ２２を介してエアタンク２３に貯えられる。
【００４２】
また、従動プーリ１２が回転駆動したときには、その冷却ファン１２Ａによって圧縮機本体７に向け冷却風が供給されるから、該圧縮機本体７の各機構９，１０等を冷却することができる。さらに、従動プーリ１２が回転駆動したときには、冷却風の取入れ口となる外側保護カバー１６の前面側に配設されたアフタクーラ２２にも冷却風を供給することができるから、圧縮熱により温度上昇した圧縮空気を、冷却した状態でエアタンク２３に効率よく貯えることができる。
【００４３】
一方、電動モータ２の回転力を圧縮機本体７に伝達する駆動プーリ５、従動プーリ１２、ベルト１５は、外側保護カバー１６により前面側、両側面側、上面側から覆い、下側カバー１７により下側から覆い、内側保護カバー１８により内側から覆い、さらに内側保護カバー１８のモータ側軸取出し開口１８Ｃの空間１８Ｄを閉塞カバー１９，２０により覆う構成としているから、各プーリ５，１２とベルト１５を完全に覆うことができ、プーリ５，１２とベルト１５との間に物が挟まれたり、ベルト１５が損傷したりする事態を未然に防ぐことができる。
【００４４】
また、空気圧縮機を長期間稼動した場合、駆動プーリ５と従動プーリ１２とに巻装されたベルト１５が徐々に延びを生じるから、所定の稼動時間が経過したらベルト１５の張り調整を行う必要がある。
【００４５】
そこで、ベルト１５の張りを調整するときの作業について説明する。まず、電動モータ２を載置台１に固定しているボルト・ナット６を緩め、各閉塞カバー１９，２０を内側保護カバー１８に固定しているボルト２１を緩める。次に、図４中に二点鎖線で示すように、電動モータ２を圧縮機本体７から離間させるように矢示Ａ方向に移動し、電動モータ２と圧縮機本体７との離間距離を調整してベルト１５の張りが適度になったら、この位置でボルト・ナット６を締込んで電動モータ２を固定する。また、各閉塞カバー１９，２０は、円弧状切欠部１９Ａ，２０Ａが出力軸４に干渉しないように微調整をした後、ボルト２１を締付けることにより固定することができる。
【００４６】
かくして、本実施の形態によれば、電動モータ２の移動に合せて移動することにより、出力軸４を取囲むモータ側軸取出し開口１８Ｃ内の空間１８Ｄを閉塞する一対の閉塞カバー１９，２０を設けているから、ベルト１５の張りを調整するために電動モータ２を移動した場合でも、出力軸４の周囲に大きく開口したモータ側軸取出し開口１８Ｃの空間１８Ｄを閉塞することができる。
【００４７】
この結果、閉塞カバー１９，２０は、電動モータ２を移動させるために内側保護カバー１８に大きな空間１８Ｄとなるモータ側軸取出し開口１８Ｃを形成した場合でも、プーリ５，１２、ベルト１５を確実に覆い隠すことができるから、プーリ５，１２とベルト１５との間に物が挟まれたり、ベルト１５が損傷したりする事態を未然に防ぐことができ、安全性、信頼性を向上することができる。
【００４８】
また、電動モータ２の出力軸４を挟むように閉塞カバー１９，２０を分割しているから、出力軸４に駆動プーリ５を取付けた状態でも、出力軸４の周囲を確実に覆うことができ、安全性、信頼性をより一層向上することができる。しかも、分割した閉塞カバー１９，２０は、狭い場所でも扱い易く、内側保護カバー１８に対して簡単に取付けることができる。
【００４９】
一方、外側保護カバー１６の下側には、プーリ５，１２、ベルト１５を下側から覆う下側カバー１７を設けているから、ベルト１５等に対する下側からの干渉も防止することができる。
【００５０】
さらに、圧縮空気を冷却するアフタクーラ２２は、従動プーリ１２の冷却ファン１２Ａが発生する冷却風の取入れ口となる外側保護カバー１６の前面側に配設しているから、温度上昇した圧縮空気を冷却ファン１２Ａによる冷却風を利用して効率よく冷却することができる。
【００５１】
なお、実施の形態では、外側保護カバー１６は、前面板１６Ａ、２枚の側面板１６Ｂ、上面板１６Ｃにより形成し、その下側には１枚の板材からなる下側カバー１７を取付ける構成とした場合を例に挙げて説明した。しかし、本発明はこれに限らず、例えば図９に示す第１の変形例のように、外側保護カバー３１を前面板３１Ａと上面板３１Ｂにより形成し、下側カバー３２の長さ方向の両端に側面板３２Ａを設け、この外側保護カバー３１に下側カバー３２を取付ける構成としてもよい。この場合には、下側カバー３２の強度を高めることができる。
【００５２】
また、実施の形態では、内側保護カバー１８のモータ側軸取出し開口１８Ｃを閉塞するのに、左，右方向で対称形状をなすように縦割りされた２枚の閉塞カバー１９，２０を用いた場合を例に挙げて説明した。しかし、本発明はこれに限るものではなく、例えば図１０に示す第２の変形例のように、上，下方向で横割りされた２枚の閉塞カバー４１，４２を適用してもよい。この場合、上側の閉塞カバー４１の下端縁には円弧状切欠部４１Ａを形成し、この円弧状切欠部４１Ａの上側にはボルト挿通孔４１Ｂを形成する。また、下側の閉塞カバー４２の上端縁には円弧状切欠部４２Ａを形成し、この円弧状切欠部４２Ａの下側にはボルト挿通孔４２Ｂを形成する構成とすればよい。
【００５３】
一方、例えば図１１に示す第３の変形例のように、閉塞カバー５１を１枚の板材によって形成し、電動モータ２の出力軸４が通る切欠部５１Ａと、長穴からなるボルト挿通穴５１Ｂを設ける構成としてもよい。
【００５４】
また、実施の形態では、閉塞カバー１９，２０に設けた長穴からなるボルト挿通孔１９Ｂ，２０Ｂにボルト２１を挿通し、このボルト２１を内側保護カバー１８のボルト穴１８Ｅに螺着することにより、閉塞カバー１９，２０を内側保護カバー１８に対して移動可能に取付ける構成とした。しかし、本発明はこれに限らず、内側保護カバーに長穴からなるボルト挿通孔を設け、閉塞カバーにボルト穴を設ける構成としてもよい。また、閉塞カバーを溝によって移動可能に支持する構成としてもよい。
【００５５】
また、実施の形態では、載置台１上に電動モータ２と圧縮機本体７を搭載し、圧縮機本体７から吐出した圧縮空気をこれらと別個に配設されたエアタンク２３に供給する構成とした場合を例に挙げて説明した。しかし、本発明はこれに限らず、例えばエアタンクの上部に載置台を取付け、この載置台上に電動モータ、圧縮機本体を搭載する構成としてもよい。
【００５６】
さらに、実施の形態では、圧縮機として２段式（２気筒）の往復動型の圧縮機本体７を備えた空気圧縮機を例に挙げて説明した。しかし、本発明はこれに限らず、例えば単気筒の往復動型の圧縮機本体、スクロール型の圧縮機本体を備えた圧縮機にも適用することができる。また、空気圧縮機の他に、真空ポンプ、冷媒圧縮機等にも広く適用できるものである。
【図面の簡単な説明】
【００５７】
【図１】本発明の実施の形態による空気圧縮機を電動モータ側から示す正面図である。
【図２】図１の空気圧縮機をアフタクーラ、エアタンクと一緒に示す背面図である。
【図３】図１の空気圧縮機の左側面図である。
【図４】図１の空気圧縮機から電動モータと圧縮機本体を削除した状態で示す正面図である。
【図５】載置台を単体で示す平面図である。
【図６】外側保護カバー、下側カバー、内側保護カバー、閉塞カバーを組立てた状態で示す外観斜視図である。
【図７】外側保護カバー、下側カバー、内側保護カバー、閉塞カバーを分解した状態で示す分解斜視図である。
【図８】図７中の一対の閉塞カバーを拡大して示す外観斜視図である。
【図９】本発明の第１の変形例による外側保護カバーと下側カバーを分解した状態で示す分解斜視図である。
【図１０】本発明の第２の変形例による閉塞カバーを示す外観斜視図である。
【図１１】本発明の第３の変形例による閉塞カバーを示す外観斜視図である。
【符号の説明】
【００５８】
１  載置台
２  電動モータ
４  出力軸
５  駆動プーリ
７  圧縮機本体
８  クランクケース
８Ａ  クランク軸
１２  従動プーリ
１５  ベルト
１６，３１  外側保護カバー
１８  内側保護カバー
１８Ａ  モータ側カバー部
１８Ｂ  圧縮機側カバー部
１８Ｃ  モータ側軸取出し開口
１８Ｄ  空間
１９，２０，４１，４２，５１  閉塞カバー
【図１】
2006220123.tif 000003
【図２】
2006220123.tif 000004
【図３】
2006220123.tif 000005
【図４】
2006220123.tif 000006
【図５】
2006220123.tif 000007
【図６】
2006220123.tif 000008
【図７】
2006220123.tif 000009
【図８】
2006220123.tif 000010
【図９】
2006220123.tif 000011
【図１０】
2006220123.tif 000012
【図１１】
2006220123.tif 000013